(57)【要約】      （修正有）【課題】脚の表面性状に応じた美感を与えることなどが容易にできるようにする。【解決手段】テーブルの天板を支持するテーブル用脚（脚１３０）は、長手方向と交差する面での断面形状が、天板側の基部１３２から下端部１３３に向けて深さが浅くなる凹部１３１ａを有するように形成されている。【選択図】図２
2018068855.tif 000002
【特許請求の範囲】
【請求項１】
テーブルの天板を支持するテーブル用脚であって、
長手方向と交差する面での断面形状が、天板側の基部から下端部に向けて深さが浅くなる凹部を有するように形成されていることを特徴とするテーブル用脚。
【請求項２】
請求項１のテーブル用脚であって、
上記凹部はＶ字型に形成され、上記Ｖ字型の谷面の成す角度が、脚の基部から下端部に向けて１８０°になるまで徐々に大きくなるように形成されていることを特徴とするテーブル用脚。
【請求項３】
請求項１または請求項２のテーブル用脚であって、
上記脚は、断面四角形状の柱の１つの側面に上記凹部が形成された形状を有していることを特徴とするテーブル用脚。
【請求項４】
請求項１から請求項３のうち何れか１項のテーブル用脚であって、
上記凹部は、脚が天板に傾斜して取り付けられた状態において脚の下方側となる位置に形成されていることを特徴とするテーブル用脚。
【請求項５】
請求項１から請求項４のうち何れか１項のテーブル用脚と、
上記テーブル用脚によって、直接、または所定のフレームを介して支持される天板と、
を備えたことを特徴とするテーブル。
【請求項６】
請求項５のテーブルであって、
上記脚は、上記凹部が、互いに隣り合う脚どうしを結ぶ平面で囲まれる領域の内側を向くように設けられていることを特徴とするテーブル。
【発明の詳細な説明】
【技術分野】
【０００１】
本発明は、天板が脚によって支持されるテーブル、およびそのような天板を支持するテーブル用脚に関するものである。
【背景技術】
【０００２】
テーブルの天板を支持するテーブル用脚においては、軽量化を図るために、基端から斜め下方に延設された支脚の断面を倒Ｕ字型として内部の肉を抜いたものが知られている（例えば、特許文献１参照。）。
【先行技術文献】
【特許文献】
【０００３】
【特許文献１】実用新案登録第２５４１０７７号公報
【発明の概要】
【発明が解決しようとする課題】
【０００４】
しかしながら、上記のように支脚の内部の肉をＵ字型に抜くことによって軽量化を図ることはできるが、脚の床面に対する角度が大きい場合には、肉抜きされた内側が陰として目視されやすくなる。このため、例えば脚の表面性状を工夫した場合などでも、上記のような内側部分は脚の裏側という印象を与えやすく、その表面性状に応じた美感を与えにくいものとなりがちであった。
【０００５】
本発明は、上記の点に鑑みてなされたものであり、脚の表面性状に応じた美感を与えることなどが容易にできるようにすることを目的としている。
【課題を解決するための手段】
【０００６】
上記の目的を達成するために、
第１の発明は、
テーブルの天板を支持するテーブル用脚であって、
長手方向と交差する面での断面形状が、天板側の基部から下端部に向けて深さが浅くなる凹部を有するように形成されていることを特徴とする。
【０００７】
これにより、凹部を有しない場合に比べて軽量化を図ることが容易にできると共に、天板の下方に見えやすい下端部ほど深さが浅いことによって凹部を目立ちにくくすることができる。また、凹部の内面が陰として目視されにくくなるので、脚の表面性状に応じた美感を与えることなどが容易にできる。
【発明の効果】
【０００８】
本発明では、脚の表面性状に応じた美感を与えることなどが容易にできる。
【図面の簡単な説明】
【０００９】
【図１】テーブルの概略構成を示す斜め下方から見た斜視図である。
【図２】脚の構成を示す側面図である。
【図３】脚の上部の構成を示す拡大斜視図である。
【図４】脚の下部の構成を示す拡大斜視図である。
【図５】脚の構成を示す正面図である。
【図６】脚の構成を示す背面図である。
【図７】図２のVII-VII線端面図である。
【図８】図２のVII-VII線断面斜視図である。
【図９】図２のIX-IX線端面図である。
【図１０】図２のIX-IX線断面斜視図である。
【図１１】図２のXI-XI線端面図である。
【図１２】図２のXI-XI線断面斜視図である。
【図１３】脚の構成を示す拡大平面図である。
【図１４】脚の構成を示す拡大底面図である。
【図１５】脚の上部の構成を示す拡大斜視図である。
【図１６】フレームにおける脚の取付部の構成を示す拡大斜視図である。
【発明を実施するための形態】
【００１０】
以下、本発明の実施形態を図面に基づいて詳細に説明する。
【００１１】
テーブル１００は、図１に示すように、略長方形状で、その角および辺が湾曲した形状の天板１１０が四角形状のフレーム１２０に載置され、これらの天板１１０およびフレーム１２０が、４本の脚１３０により支持されるようになっている。
【００１２】
上記脚１３０は、図２に示すように、脚本体部１３１と、フレーム１２０に取り付けられる基部１３２と、下端部１３３とを有し、例えば長手方向が天板１１０に対して傾斜するように取り付けられている。脚１３０の下端部１３３には、高さアジャスタ１４１が取り付けられている。脚１３０の材質や製造方法は特に限定されないが、例えばアルミニウムダイカストによって形成されている。
【００１３】
脚本体部１３１における脚１３０の下方側となる位置、すなわち互いに隣り合う脚１３０どうしを結ぶ平面で囲まれる領域の内側を向く位置には、図３〜図１２に示すように、長手方向と交差する面（水平面または長手方向に垂直な面等）での断面形状がＶ字型の谷を有する凹部１３１ａが形成されている。この凹部１３１ａは、基部１３２から下端部１３３に向けて深さが浅くなるように形成されている。より詳しくは、上記凹部１３１ａは、上記Ｖ字型の谷面がＲ（曲面）で滑らかに接続されると共に、谷面どうしの成す角度が、例えば、図７に符号Ａで示す約９０°から、図１１に符号Ｂで示す略１８０°、さらに下端部１３３では完全に１８０°（平坦）になるまで徐々に、滑らかに大きくなるように形成されている。
【００１４】
脚１３０の基部１３２には、図１３〜図１５に示すように、天板１１０に固定する図示しないボルトが挿通される天板取付ボルト穴１３２ａが形成されている。また、基部１３２の内部には、必要に応じて、剛性および／または強度を高めるためのリブ１３２ｂ・１３２ｃが設けられている。基部１３２における上記天板取付ボルト穴１３２ａが設けられているのと反対側の端部には、脚取付ボルト穴１３２ｅが形成された取付プレート１３２ｄが設けられると共に、上記取付プレート１３２ｄよりも突出した凸部１３２ｆが形成されている。
【００１５】
一方、フレーム１２０における４つの角部には、図１、図１６に示すように、斜め方向に張り出した脚取付部１２１が設けられている。この脚取付部１２１には、雌ねじ１２１ｂが形成された取付プレート１２１ａと、差込部１２１ｃとが設けられ、上記差込部１２１ｃに脚１３０の基部１３２における凸部１３２ｆが差し込まれると共に、脚取付ボルト穴１３２ｅに挿通された図示しないボルトが雌ねじ１２１ｂに螺合されることによって、脚１３０がフレーム１２０に固定されるようになっている。
【００１６】
上記のような脚１３０は、例えば断面四角形状の柱の１つの側面の上部などに凹部１３１ａが形成されていることによって、全長に亘って断面四角形状等に形成される場合よりも軽量化、および使用材料の低減、したがって製造コストの低減を図ることが容易にできる。しかも、凹部１３１ａの深さが下端部１３３に向けて浅くなり、特に天板１１０の下方に見えやすい下端部１３３においては滑らかに平面に接続されていることによって、凹部１３１ａが目立ちにくいようになっている。すなわち、凹部１３１ａの内面が陰として目視されにくくなるので凹部１３１ａが目立ちにくくなり、例えば、脚の表面が光沢や艶消し加工される場合などでも、それらの表面性状に応じた美感を損ねにくいようにすることが容易にできる。
【００１７】
なお、上記では凹部１３１ａがＶ字型の断面形状を有する例を示したが、基部１３２から下端部１３３に向けて深さが浅くなることによって目立ちにくくなる効果を得るためには、例えば谷面が曲面に形成され、その曲率が下端部１３３に向けて小さくなるなどして深さが浅くなるようにしたりしてもよい。
【００１８】
また、脚本体部１３１の断面形状としては、断面四角形状の柱の１つの側面に凹部１３１ａが形成されている例を示したが、これに限らず、例えば断面三角形状などの断面多角形状の柱の１つの側面に凹部１３１ａが形成されたり、円柱や楕円柱、または円柱や楕円柱の一部が平坦面で切断された形状の柱の一部に凹部１３１ａが形成されたりしてもよい。
【００１９】
また、脚１３０における凹部１３１ａが形成される位置の向きは、上記のように天板の外縁に沿った方向よりも内側向きに限らず、例えば互いに隣り合う脚１３０の対向する面側に凹部１３１ａが形成されるなどしてもよい。ただし、一般には、上記のように天板の外縁に沿った方向よりも内側向きに形成される方が、特に凹部１３１ａの深い上部が天板１１０に隠れやすくなるので、凹部１３１ａを目立ちにくいようにすることが容易になる。
【００２０】
また、脚１３０は天板１１０に対して傾斜して設けられるのに限らず、直立するように設けられるなどしてもよいが、一般には、傾斜させる方が、やはり凹部１３１ａを下方側に向けて目立ちにくいようにすることが容易になる。
【００２１】
また、上記では脚１３０はフレーム１２０に取り付けられるとともに天板１１０にも固定される例を示したが、フレーム１２０の有無や脚１３０の取付構造はこれに限らず、例えば脚１３０がフレーム１２０だけに取り付けられたり、天板１１０だけに取り付けられたりしてもよい。
【００２２】
また、天板１１０の形状は上記に限らず、例えば三角形や四角形、台形等の多角形、これらの角や辺が曲率を有する曲線である形状などでもよい。また、脚１３０の本数、配置も、天板１１０の形状等に応じて適宜設定されればよい。
【符号の説明】
【００２３】
１００      テーブル
１１０      天板
１２０      フレーム
１２１      脚取付部
１２１ａ    取付プレート
１２１ｂ    雌ねじ
１２１ｃ    差込部
１３０      脚
１３１      脚本体部
１３１ａ    凹部
１３２      基部
１３２ａ    天板取付ボルト穴
１３２ｂ・１３２ｃ      リブ
１３２ｄ    取付プレート
１３２ｅ    脚取付ボルト穴
１３２ｆ    凸部
１３３      下端部
１４１      高さアジャスタ
【図１】
2018068855.tif 000003
【図２】
2018068855.tif 000004
【図３】
2018068855.tif 000005
【図４】
2018068855.tif 000006
【図５】
2018068855.tif 000007
【図６】
2018068855.tif 000008
【図７】
2018068855.tif 000009
【図８】
2018068855.tif 000010
【図９】
2018068855.tif 000011
【図１０】
2018068855.tif 000012
【図１１】
2018068855.tif 000013
【図１２】
2018068855.tif 000014
【図１３】
2018068855.tif 000015
【図１４】
2018068855.tif 000016
【図１５】
2018068855.tif 000017
【図１６】
2018068855.tif 000018